(57)【要約】【課題】  半端なタブ紙として画像形成装置から排出されることを防止する。【解決手段】  トレイ内の各タブ紙にタブ番号Ｔaを含む固有符号Ｔ[i]＝Ｔaを割り当てる（Ｓ１０１，Ｓ１０２）。ジョブの各原稿束にタブ位置番号Ｔbを含む固有符号Ｓ[j]＝Ｔbを割り当てる（Ｓ１０３，Ｓ１０４）。各原稿束を印刷対象に設定し（Ｓ１０５）、変数ｉに１を代入する（Ｓ１０６）。タブ紙Ｔ[1]のタブ番号Ｔaを原稿束Ｓ[1]，Ｓ[2]，…の各タブ番号Ｔbと順に比較する（Ｓ１０７〜Ｓ１０９，Ｓ１１４，Ｓ１１６）。最初に一致したタブ番号の原稿束Ｔ[i]の画像を形成した後に（Ｓ１１０）、その原稿束Ｔ[i]を印刷対象から除外する（Ｓ１１１）。一致する原稿束がなかったときにはそのタブ紙を排出する（Ｓ１１５）。そして、原稿束が印刷対象として残っているときには（Ｓ１１２）、上記処理内容を繰り返し（Ｓ１１３）、残ってないときには終了する。【選択図】  図３
2006084856.tif 000002
【特許請求の範囲】
【請求項１】
画像形成要求ジョブに応じてタブを有するタブ紙およびタブを有しない用紙に画像形成が可能な画像形成装置であって、
前記タブ紙を収容する収容手段と、
前記収容手段に収容されている前記タブ紙に関する情報を取得する取得手段と、
前記取得手段により取得された前記タブ紙に関する情報に基づいて、画像形成要求ジョブの画像形成を行う順序を決定する決定手段と
を含む画像形成装置。
【請求項２】
画像形成要求ジョブに含まれない種類のタブ紙を排出する排紙手段を更に備えていることを特徴とする請求項１に記載の画像形成装置。
【請求項３】
前記決定手段により決定された画像形成の順序を表示する表示手段を更に備えていることを特徴とする請求項１に記載の画像形成装置。
【請求項４】
画像形成要求ジョブに応じてタブを有するタブ紙および／またはタブを有しない用紙に画像形成を行う画像形成方法であって、
前記タブ紙をタブの位置順に搬送する搬送ステップと、
前記搬送ステップにより搬送されるタブ紙に関する情報を取得する取得ステップと、
前記取得ステップにより取得された前記タブ紙に関する情報に基づいて、画像形成要求ジョブの画像形成を行う順序を決定する決定ステップと
を含む画像形成方法。
【請求項５】
画像形成要求ジョブに含まれない種類のタブ紙を排出する排紙ステップを更に備えていることを特徴とする請求項４に記載の画像形成方法。
【請求項６】
前記決定ステップにより決定された画像形成を行う順序を表示する表示ステップを更に備えていることを特徴とする請求項４に記載の画像形成方法。
【請求項７】
画像形成要求ジョブに含まれる原稿束の画像を形成した用紙束を、当該原稿束に対応するタブ位置のタブ紙と共に出力する順序を決定する出力順序決定方法であって、
次に供給されるタブ紙のタブ位置情報を取得し、かつ、画像形成要求ジョブにおける各原稿束についてのタブ位置情報を取得し、
前記タブ紙のタブ位置情報を画像未形成の前記各原稿束のタブ位置情報と順に比較していき、
最初に一致したタブ位置情報に係る原稿束の画像を形成した用紙束を、対応するタブ紙と共に出力することを特徴とする出力順序決定方法。
【請求項８】
前記タブ紙のタブ位置情報が画像未形成の前記各原稿束のタブ位置情報のいずれにも一致しなかったときに、当該タブ紙を排出することを特徴とする請求項７に記載の出力順序決定方法。
【請求項９】
ユーザに情報を提供するための表示部に出力順序を表示することを特徴とする請求項７に記載の出力順序決定方法。
【発明の詳細な説明】
【技術分野】
【０００１】
本発明は、複写機、プリンタ等の画像形成装置等に係り、詳しくは、出力用紙としてのタブ紙の搬送が可能な画像形成装置、画像形成方法および出力順序決定方法に関するものである。
【背景技術】
【０００２】
電子写真方式を利用したプリンタや複写機等の画像形成装置では、まず有機感光体等からなる像担持体の表面に、公知の電子写真プロセスにより形成した静電潜像をトナー像担持体に現像する。次いでこのトナー像を転写装置により用紙に静電的に転写した後、定着装置によりトナー像を用紙に定着させることにより画像形成が行われる。
このような画像形成装置には、所定の搬送路に沿って用紙を搬送する用紙搬送装置が組み込まれている。用紙搬送装置は、画像形成装置の本体内で、給紙トレイに収容された用紙を画像転写部を経由して搬送するものである。
【０００３】
画像形成装置の給紙トレイには、普通紙のほか、厚紙、ＯＨＰシート、光沢紙、封筒などの各種のマテリアルを載置することが可能である。これらのマテリアルの一つとして、区切りのためのタブを有するタブ紙がある。タブ紙は、複数枚で１つのタブ紙束を構成し、タブの位置は、１つのタブ紙束において一方向に順次ずれている。例えば、３つのタブの位置を有し、３枚で１セットを構成するいわゆる３タブ紙や、５つのタブの位置を有し、５枚で１セットを構成するいわゆる５タブ紙などがある。このタブ紙は、見出しを記入できるタブを有するため、そのタブに例えば用紙束ごとの分類名等を画像形成して用紙のセクションの仕切りとして、複数枚の用紙束の間に挿入される。
【０００４】
ここで、例えば、５枚のタブ紙によって１つのタブ紙束が構成されている場合に、タブ紙を使用した枚数が４枚であれば、１枚のタブ紙が余り、タブ紙を使用した枚数が７枚であれば、２つ目のタブ紙束のうちで、３枚のタブ紙が余る。次の画像形成の動作を開始するまでに、給紙トレイに残っている半端なタブ紙を抜き取ることにより、次に給紙されるタブ紙のタブ位置を合わせておく必要がある。
また、例えば給紙されたタブ紙にジャムが発生し、ジャム処理でタブ紙が取り除かれたときには、画像形成装置の動作を再開させる前にユーザは、タブ紙を収容している給紙トレイにおいてタブ位置の合ったタブ紙が次に給紙されるようにしておく必要がある。万一この操作を忘れると、異なるタブ位置のタブ紙が供給されてしまい、タブ紙のタブに画像形成が行われないという事態が発生する可能性がある。
【０００５】
このような事態を回避するための手段として種々のものが提案されている。例えば特許文献１に開示されている方法は、給紙されるタブ紙が適切なものか否かをタブ紙のタブ位置を検出して判断しようとするものである。すなわち、タブ紙のタブ位置を検出する検出手段を設け、この検出手段によりタブの位置が検出されたタブ紙のタブ位置が、画像形成を行うべき位置にあるか否かの判断が行われる。そして、画像形成を行うべきでないタブ紙と判断したときは画像形成を行わずにそのまま画像形成装置の外に排出するように制御される。もちろん、画像形成を行うべきであるタブ紙が給紙されたときに画像形成が行われる。
【０００６】
【特許文献１】特開２００１−１３８２３号公報(第６〜７頁、図９)
【発明の開示】
【発明が解決しようとする課題】
【０００７】
上述した特許文献１によれば、タブ紙への画像形成が適切に行われるようになる。しかしながら、不要となったタブ紙は画像形成装置内の搬送路内を通じて排出される。そのような排出タブ紙は、折れ曲がりやカールが発生する可能性がある。そのような場合には、排出タブ紙の再使用が困難となり、無駄になる。仮に、排出タブ紙が再使用可能であったとしても、給紙トレイに戻す作業を行う必要があり、煩雑で操作者の作業効率の低下をもたらしてしまう。
【０００８】
本発明は、以上のような技術的課題を解決するためになされたものであり、その目的とするところは、半端なタブ紙として画像形成装置から排出されることを防止することにある。
【課題を解決するための手段】
【０００９】
かかる目的のもと、本発明が適用される画像形成装置は、画像形成要求ジョブに応じてタブを有するタブ紙およびタブを有しない用紙に画像形成が可能な画像形成装置である。そして、この画像形成装置は、タブ紙を収容する収容手段と、収容手段に収容されているタブ紙に関する情報を取得する取得手段と、取得手段により取得されたタブ紙に関する情報に基づいて、画像形成要求ジョブの画像形成を行う順序を決定する決定手段とを含む。
画像形成要求ジョブに含まれない種類のタブ紙を排出する排紙手段を更に備えていることを特徴とすることができる。また、決定手段により決定された画像形成の順序を表示する表示手段を更に備えていることを特徴とすることができる。
【００１０】
他の観点から捉えると、本発明が適用される画像形成方法は、画像形成要求ジョブに応じてタブを有するタブ紙および／またはタブを有しない用紙に画像形成を行う画像形成方法である。そして、この画像形成方法は、タブ紙をタブの位置順に搬送する搬送ステップと、搬送ステップにより搬送されるタブ紙に関する情報を取得する取得ステップと、取得ステップにより取得されたタブ紙に関する情報に基づいて、画像形成要求ジョブの画像形成を行う順序を決定する決定ステップとを含む。
【００１１】
更に本発明を別の観点から捉えると、本発明が適用される出力順序決定方法は、画像形成要求ジョブに含まれる原稿束の画像を形成した用紙束を、原稿束に対応するタブ位置のタブ紙と共に出力する順序を決定する出力順序決定方法である。そして、この出力順序決定方法は、次に供給されるタブ紙のタブ位置情報を取得し、かつ、画像形成要求ジョブにおける各原稿束についてのタブ位置情報を取得し、タブ紙のタブ位置情報を画像未形成の各原稿束のタブ位置情報と順に比較していき、最初に一致したタブ位置情報に係る原稿束の画像を形成した用紙束を、対応するタブ紙と共に出力することを特徴とするものである。
【発明の効果】
【００１２】
本発明によれば、半端なタブ紙として画像形成装置から排出されることを防止することが可能となる。
【発明を実施するための最良の形態】
【００１３】
以下、添付図面を参照して、本発明の実施の形態について詳細に説明する。
図１は、本実施の形態に係る画像形成装置の全体構成を示す概略構成図である。
図１に示すように、画像形成装置１は、原稿の画像を読み取る画像読み取り部２と、画像読み取り部２により読み取られた画像またはパソコン３６からプリント指示があった画像を図示しない用紙（記録媒体）上に形成する画像形成部３と、画像形成部３に対してタブ紙（タブを有する記録媒体）を含む各種の用紙を供給する用紙供給部４と、各装置（各部）の動作等の制御をする制御部５とを備えている。すなわち、画像形成装置１は、複写機としての機能とページプリンタとしての機能とを有するものである。
【００１４】
画像読み取り部２は、透明な原稿台にセットされた原稿の画像を読み取るものである。画像読み取り部２は、例えば、ランプ、ミラー及びキャリッジ等からなる光学走査系と、この光学走査系で走査された光学像を結像させるレンズ系と、このレンズ系で結像された光学像を受光して電気信号に変換するＣＣＤ等の画像読み取りセンサとを有する。
【００１５】
画像形成部３は、ブラック（Ｋ）、イエロ（Ｙ）、マゼンタ（Ｍ）、シアン（Ｃ）の各色に対応し水平方向に並列配置される４つの感光体ドラム６，７，８，９と、各感光体ドラム６〜９に対応して配設される４つの一次転写ロール１０，１１，１２，１３とを有するいわゆる四連タンデム式の構成となっている。また、画像形成部３は、各感光体ドラム６〜９上に形成されたトナー像が順次一次転写される中間転写ベルト１４と、中間転写ベルト１４上の重ねトナー像を用紙に二次転写する二次転写ベルト１５と、二次転写後の用紙を搬送するバキューム搬送部１６と、転写後の用紙にトナー像を定着させる定着器１８とを有する。
【００１６】
ここで、各感光体ドラム６〜９の周囲には、感光体ドラム６〜９の表面を一様に帯電する帯電器と、この帯電器によって帯電された感光体ドラム６〜９の表面にレーザ照射によって静電潜像を形成するレーザ書き込み装置とが配置されている。また、各感光体ドラム６〜９の周囲には、感光体ドラム６〜９に形成された静電潜像を所定の色成分トナーで現像し可視化する現像器と、一次転写後に感光体ドラム６〜９の表面に残留する残留トナーを除去するクリーナ等とが配置されている。
なお、現像器に対してブラック（Ｋ）、イエロ（Ｙ）、マゼンタ（Ｍ）、シアン（Ｃ）の各色のトナーを供給するためのトナーカートリッジ１９，２０，２１，２２が設けられている。
【００１７】
これに対して、各一次転写ロール１０〜１３は、それぞれに対応する感光体ドラム６〜９の近傍に中間転写ベルト１４を介して対向配置されている。これら一次転写ロール１０〜１３は、対応する感光体ドラム６〜９上に形成されたトナー像を順次中間転写ベルト１４に一次転写するものである。また、中間転写ベルト１４は、複数（本例では５つ）の支持ロールによってループ状に張設されている。
【００１８】
また、二次転写ベルト１５は、中間転写ベルト１４に対向して配設され、駆動ロールと従動ロールとによって張架されている。この二次転写ベルト１５は、中間転写ベルト１４上に順次一次転写された各色の重ねトナー像を図示しない用紙に二次転写（一括転写）するもので、この二次転写位置が画像形成部３における画像形成処理位置となる。そして、バキューム搬送部１６，１７は、二次転写ベルト１５によってトナー像が転写された用紙を吸引しながら定着器１８へと搬送するものである。
定着器１８は、加熱加圧等によって用紙にトナー像を定着させるためのものである。定着器１８は、例えばハロゲンランプ等の加熱源を内蔵した定着ロールと、３つの支持ロールに張架されるとともに定着ロールに圧接される無端状のベルトとを備えている。そして、加熱源は、定着ロールの表面が所定の表面温度に維持されるように制御される。
【００１９】
一方、用紙供給部４は、第一のトレイ（給紙トレイ）２３に収容された図示しないＡ４用紙（タブを有しない記録媒体）、および第二のトレイ（給紙トレイ）２４に収容された図示しないタブ紙（タブを有する記録媒体）を、それぞれ所定の経路で搬送するものである。各トレイ２３，２４の近傍には、それぞれに対応する送り出しロール２５，２６が配設されている。各送り出しロール２５，２６は、対応するトレイ２３，２４から一枚ずつ分離して取り出された各種の用紙をニップして用紙搬送路上に一時停止させると共に、所定のスタート信号に基づくタイミングで用紙搬送方向の下流側に各種の用紙を送り出すものである。また、画像読み取り部２の近傍には、ユーザによって操作される操作パネル２７が設けられている。
【００２０】
ここで、各送り出しロール２５，２６による用紙の送り出し位置から、画像形成部３の画像形成処理位置を経由して排出トレイ２８に至る一連の用紙搬送路Ｒ１〜Ｒ５には、それぞれ用紙搬送のための搬送ロールが適宜配設されている。第一のトレイ２３に収容されたＡ４用紙は、送り出しロール２５により送り出された後、第一の用紙搬送路Ｒ１を経由して合流搬送部２９へと送り込まれる。また、第二のトレイ２４に収容されたタブ紙は、送り出しロール２６によって合流搬送部２９へと直接送り込まれる。
【００２１】
また、合流搬送部２９に送り込まれた用紙は、第二の用紙搬送路Ｒ２を経由して画像形成部３の画像形成処理位置へと送り込まれる。更に、画像形成処理位置を通過した用紙は、バキューム搬送部１６，１７により定着器１８に送り込まれた後、第三の用紙搬送路Ｒ３を経由して排出トレイ２８へと排出される。これに対して、両面に画像が形成される用紙は、定着器１８を通過した後、第四の用紙搬送路Ｒ４を経由して両面反転部３２に送り込まれ、ここで表裏反転された後、第五の用紙搬送路Ｒ５を経由して再び合流搬送部２９へと送り込まれる。第五の用紙搬送路Ｒ５の終端近傍には、送り出しロール３５が設けられている。
なお、第一の用紙搬送路Ｒ１は、図示しない他のトレイに収容された用紙を選択的に送り込むことが可能なように構成されている。
【００２２】
このような用紙搬送路Ｒ１〜Ｒ５において、第二の用紙搬送路Ｒ２には姿勢補正部３０とレジストロール３１とが配設されている。この姿勢補正部３０は、第二の用紙搬送路Ｒ２を搬送される用紙の姿勢を補正するものである。
また、レジストロール３１は、互いに圧接状態に保持された一対のロールによって構成されたものである。レジストロール３１は、これら一対のロール間で用紙をニップしつつ、このロール対を回転させることによって画像形成処理位置に用紙を送り込むものである。このレジストロール３１による用紙の送り込みに際しては、図示しないタイミング調整機構によって画像形成処理に対する用紙の到達タイミングが調整される。このタイミング調整機構は、レジストロール３１の用紙搬送方向上流側に設けられたレジセンサ（図示せず）が用紙の通過を検出したタイミングに基づいて、レジストロール３１による用紙の搬送速度を可変する。これにより、画像形成処理位置へのトナー像の到達タイミングに合わせて、画像形成処理位置に対する用紙の到達タイミングが調整される。
【００２３】
また、用紙搬送路Ｒ３、Ｒ５には、定着器１８において定着を行う際に生じる用紙のカールを補正するカール補正部３３，３４がそれぞれ設けられている。
【００２４】
次に、本実施の形態に係る画像形成装置１の動作について説明する。まず、画像読み取り部２によって原稿の画像が読み取られると、これによって得られた画像信号に基づいて画像形成部３でトナー像が形成される。画像形成部３では、４つの感光体ドラム６〜９を回転駆動しつつ、それぞれに対応する帯電器、レーザ書き込み装置および現像器によって各感光体ドラム６〜９の表面にブラック、イエロ、マゼンタおよびシアンのトナー像が形成される。このようにして形成された各色のトナー像は、一次転写ロール１０〜１３によって順次中間転写ベルト１４上に重ね転写される。これにより、中間転写ベルト１４には、四色のトナー像を重ね合わせた多色（フルカラー）のトナー像が形成される。そして、中間転写ベルト１４に形成されたトナー像は、中間転写ベルト１４に担持された状態で二次転写位置（画像形成処理位置）へと送り込まれる。
【００２５】
一方、操作パネル２７を用いてユーザにより選択されたトレイの用紙、あるいは自動選択機能によって選択されたトレイの用紙は、画像形成処理位置に中間転写ベルト１４上のトナー像が到達するタイミングに合わせてレジストロール３１により送り込まれる。例えば、選択されたトレイが第一のトレイ２３である場合には、送り出しロール２５によって送り出された用紙が第一の用紙搬送路Ｒ１を経由して合流搬送部２９に送り込まれ、更に第二の用紙搬送路Ｒ２を経由して姿勢補正部３０にてその姿勢が補正された後、レジストロール３１により画像形成処理位置へと送り込まれることになる。
【００２６】
そして、画像形成部３の画像形成処理位置では、中間転写ベルト１４に担持されたトナー像（フルカラー画像）が二次転写ベルト１５によって用紙に一括転写（二次転写）される。その後、トナー像が転写された用紙はバキューム搬送部１６，１７によって定着器１８に送られ、加熱加圧定着がなされた後、第三の用紙搬送路Ｒ３を経由して排出トレイ２８に排出される。
【００２７】
また、用紙の両面に画像形成が行われる場合は、片面に画像形成された用紙が第四の用紙搬送路Ｒ４を経由して両面反転部３２に送られ、そこで表裏反転されて第五の用紙搬送路Ｒ５に送られる。その後、片面に画像形成された用紙は、第五の用紙搬送路Ｒ５に沿って搬送された後、この第五の用紙搬送路Ｒ５の終端近傍に設けられた送り出しロール３５に突き当てられて一時停止する。そして、所定の再スタート信号に基づく送り出しロール３５の回転により、片面に画像形成された用紙は、タイミング調整されて合流搬送部２９に再度送り込まれる。以降は、同様にトナー像が用紙に転写、定着された後、第三の用紙搬送路Ｒ３を経由して排出トレイ２８に排出される。
【００２８】
次に、タブ紙への画像形成について図２を用いて説明する。
図２は、タブ紙への画像形成に関連する部分を説明するためのブロック図である。
図２に示すように、制御部５には、原稿入力インターフェース４１とトレイ用紙検出部４２と出力用ハードウェア４３と半端タブ紙排出部４４と出力順序通知部４５と記憶部４６とが接続されている。なお、制御部５は、オペレーティングシステム（ＯＳ）や図示しない不揮発性の記憶媒体（ＲＯＭ）を備える。この記憶媒体（ＲＯＭ）には、画像形成に関わる各機能部分あるいは周辺デバイスを制御するためのアプリケーションソフトウェアが組み込まれる。
また、制御部５は、各デバイス間を同時に流れる大量のデータを絶え間なく管理するとともに（スケジューリング）、複写装置やプリンタ装置などの機能を果たすよう、各デバイスのジョブを制御している。
【００２９】
原稿入力インターフェース４１は、上述したように、図１の画像読み取り部２および／またはパソコン３６である。すなわち、複写（コピー）するときにはスキャナとしての画像読み取り部２であり、ページプリンタとして用いるときにはパソコン３６である。原稿入力インターフェース４１は、入力された画像情報を所定の形式のジョブデータに変換するとともに、制御部５にジョブデータを転送する。なお、原稿入力インターフェース４１と制御部５とは、セントロニクスケーブルやイーサネット（登録商標）ケーブルなど双方向通信が可能な通信ケーブルによって、直接或いはインターネット・イントラネット等のネットワークを介して物理的或いは論理的に接続されている。
【００３０】
また、トレイ用紙検出部４２は、第一のトレイ２３に収容されているＡ４用紙および第二のトレイ２４に収容されているタブ紙が紙なし状態か否かを検出するものである。また、トレイ用紙検出部４２は、第二のトレイ２４から次に給紙されるタブ紙のタブ位置を検出するものである。このタブ位置の検出方法としては、センサでタブの位置を実際に検出する方法や、給紙されたタブ紙をカウンタでカウントすることによりタブの位置を推測する方法を採用することができる。後者の場合には、第二のトレイ２４が操作者により引き出されたときには、カウンタをリセットした上で操作者にタブ位置を入力させる必要がある。
ここで、タブ紙には、ページ順序が正順のいわゆるノーマルタイプとページ順序が逆順のリバースタイプという２種類がある。第二のトレイ２４に収容されているタブ紙がいずれのタイプであるかという情報は、操作者により入力される。また、タブ紙には一般的に１タブから２０タブ程度の種類がある。第二のトレイ２４に収容されているタブ紙がいずれの種類なのかという情報は、操作者により入力される。
トレイ用紙検出部４２は、検出結果および操作者による入力内容を制御部５に送信する。なお、トレイ内の用紙枚数を検出するようにトレイ用紙検出部４２を構成することも考えられる。
【００３１】
制御部５は、原稿入力インターフェース４１からジョブデータを受け付け、そのジョブデータをプリントジョブまたはコピージョブとして管理する。なお、全てのジョブは制御部５でユニークな識別子（ＪｏｂＩＤ）毎に管理され、各ジョブは、状態、エラー通知先、ジョブ送信元を持ち、さらに用紙のサイズ、種類毎に給紙手段必要枚数、印刷済み枚数、エラー通知をしたか否かを示すフラグが管理されている。
また、制御部５は、トレイ用紙検出部４２から検出結果を取得する。
【００３２】
出力用ハードウェア４３は、図１を用いて既に説明した画像形成部３に相当するものである。半端タブ紙排出部４４は、半端なタブ紙と判断されたタブ紙を、画像形成することなくそのまま排出トレイ２８（図１参照）に排出するためのものである。
後述するように、排出トレイ２８（図１参照）に排出される出力束の順序が、ジョブにおいて印刷すべき複数の原稿束の順序と異なる場合がある。その場合に、出力順序通知部４５は、その旨および具体的な入れ替え順序を表示して操作者に通知するためのものである。この出力順序通知部４５は、図１に示す操作パネル２７またはパソコン３６が該当する部分である。
記憶部４６は、原稿入力インターフェース４１からの原稿入力があった画像データ等を一時的に保存するためのものである。
【００３３】
次に、ジョブの処理手順について図３および図４を用いて説明する。
図３は、ジョブの処理手順を示すフローチャートであり、図４はタブ紙とジョブの原稿束との関係を説明するための説明図である。
図３に示すように、まず、制御部５（図２参照）は、第二のトレイ２４（図１参照）に収容されているタブ紙のタブに関する情報をトレイ用紙検出部４２（図２参照）から取得する（ステップ１０１）。すなわち、制御部５は、第二のトレイ２４から次に給紙されるタブ紙のタブの位置と第二のトレイ２４に収容されているタブ紙束のタイプを認識する。
【００３４】
そして、第二のトレイ２４に収容されているタブ紙の各々に対して、給紙される順番の連続番号ｉとタブ位置に対応するタブ番号Ｔaとを含む固有符号Ｔ[i]＝Ｔaを付与する（ステップ１０２）。付与された固有符号は、記憶部４６に一時的に記憶される。
ここに言う連続番号ｉとしては、１から始まる正の整数すなわち１，２，…となる。なお、連続番号ｉを、負の整数以外の整数すなわち０及び正の整数からなるようにして、０から始まるようにすることも考えられる。
また、タブ番号Ｔaとしては、例えば３タブであれば、１，２，３のいずれか一つの数字が採択され、５タブであれば、１，２，３，４，５のいずれか一つの数字が採択される。
【００３５】
固有符号Ｔ[i]＝Ｔaについて具体的に説明する。図４に示すように、第二のトレイ２４に収容されているタブ紙束が３タブであり、ノーマルタイプである場合に、次に給紙される待機タブ紙（ｉは１）のタブは２番目の位置にあるので（Ｔaは２）、次に給紙されるタブ紙にはＴ[1]＝２が割り当てられる。これに後続して給紙されるタブ紙には、順にＴ[2]＝３，Ｔ[3]＝１，Ｔ[4]＝２，Ｔ[5]＝３，Ｔ[6]＝１，…が割り当てられる。
【００３６】
また、制御部５は、ジョブに関する情報を原稿入力インターフェース４１から取得する（ステップ１０３）。すなわち、制御部５は、原稿入力インターフェース４１からの取得結果によって、ジョブの原稿束の数Ｎと原稿束の各々に対応するタブの位置とを認識する。
【００３７】
ジョブの原稿束の各々に対して、ジョブ順の連続番号ｊとタブ位置に対応するタブ番号Ｔbとを含む固有符号Ｓ[j]＝Ｔbを付与する（ステップ１０４）。付与された固有符号は、記憶部４６に一時的に記憶される。
ここに言う連続番号ｊとしては、上述したステップ１０２における連続番号ｉと同様に、１から始まる正の整数であり、また、０及び正の整数からなるようにして、０から一ずつ増えていくようにしてもよい。タブ番号Ｔbは、上述したステップ１０２におけるタブ番号Ｔaと同様である。
すなわち、固有符号Ｓ[j]＝Ｔbは、図４に示すように、ジョブの原稿束の数Ｎは５である場合に、ジョブの最初の原稿束から順にＳ[1]＝１，Ｓ[2]＝２，Ｓ[3]＝３，Ｓ[4]＝１，Ｓ[5]＝２が、ジョブの各原稿束に割り当てられる。
【００３８】
そして、制御部５は、ジョブの原稿束の各々に対して、ジョブ順の連続番号ｊと印刷対象であることを示す記号とを含む固有符号Ｐ[j]＝○を付与する（ステップ１０５）。すなわち、図４に示すように、ジョブの最初の原稿束から順にＰ[1]＝○，Ｐ[2]＝○，Ｐ[3]＝○，Ｐ[4]＝○，Ｐ[5]＝○が、ジョブの各原稿束に割り当てられる。ステップ１０５では、固有符号Ｐ[j]のすべてについて「○」が付与される。なお、この固有符号Ｐ[j]は、後述するステップ１０８において、画像形成が完了した各原稿束の「○」が「×」に置き換えられていく。
【００３９】
このステップＳ１０５までが前準備の段階である。前準備の段階の後に、ステップ１０２における「ｉ」とステップ１０４における「ｊ」にそれぞれ整数１が代入される（ステップ１０６，ステップ１０７）。そして、原稿束Ｓ[1]が印刷対象か否かを判断する（ステップ１０８）。
【００４０】
この時点ではｉ＝１であり、ステップ１０８において原稿束Ｓ[1]が印刷対象であるので、ステップ１０９に進む。なお、原稿束Ｓ[i]が印刷対象でないときには、ステップ１１４に進む。
ステップ１０９では、次に給紙されるタブ紙Ｔ[1]のタブ番号Ｔaがジョブの最初の原稿束Ｓ[1]のタブ番号Ｔbと一致するか否かを判断する（ステップ１０８）。すなわち、次に給紙されるタブ紙の固有符号Ｔ[i]＝Ｔaのうちのタブ番号Ｔaが、ジョブの最初の原稿束の固有符号Ｓ[j]＝Ｔbのうちのタブ番号Ｔbと一致するか否かを判断する。一致するとき（Ｔa＝Ｔb）にはステップＳ１１０に進み、一致しないときにはステップ１１４に進む。
【００４１】
具体的に説明すると、ステップ１０９において、例えば次に給紙されるタブ紙Ｔ[1]のタブ番号Ｔaは２で、最初の原稿束Ｓ[1]のタブ番号Ｔbが１であるときには、これらのタブ番号は一致していない。タブ番号が一致していないということは、次に給紙されるタブ紙Ｔ[1]を、最初の原稿束Ｓ[1]に対して用いることができないということを意味する。したがって、ジョブを実行せずに、ステップ１１４に進む。
【００４２】
ステップ１１４では、その原稿束Ｓ[j]がジョブにおける最後の原稿束に該当するか否かを判断する。最後の原稿束か否かは、ステップ１０３で取得したジョブの原稿束の数Ｎを用いることができる。すなわち、ジョブの原稿束の数Ｎと原稿束Ｓ[j]における「ｊ」とを比較し、Ｎ＝ｊのときには、原稿束Ｓ[j]が最後の原稿束ということを判定できる。また、Ｎ＞ｊのときには、原稿束Ｓ[j]が最後の原稿束ではないということを判定できる。
最後の原稿束に該当しないときには、ｊに１を加算した値をｊとした後に（ステップ１１６）、ステップ１０８に戻る。また、最後の原稿束に該当するときには、画像形成できる原稿束がないと判断する。そして、そのタブ紙を半端なタブ紙であるとして、そのタブ紙Ｔ[i]は、出力用ハードウェア４３（図２参照）により画像形成されることなく、半端タブ紙排出部４４（図２参照）によってそのまま排出トレイ２８（図１参照）から排出され（ステップ１１５）、ステップ１１２に進む。
なお、排出先としては排出トレイ２８であるが、画像形成した出力用紙との区別を明確にするように、排出の位置を他の出力紙に対してずらしたり、図示しない別の排出トレイに排出したりするように構成することも考えられる。
半端なタブ紙として排出した後は、ステップ１１２に進む。このステップ１１２において、印刷対象が残っていないときには、すべての原稿束を印刷したものとして終了する。
【００４３】
ここで、ステップ１０９において、次に給紙されるタブ紙Ｔ[i]のタブ番号Ｔaがジョブの最初の原稿束Ｓ[j]のタブ番号Ｔbと一致するときには、出力用ハードウェア４３は、タブ紙Ｔ[i]に対し、一致した原稿束Ｓ[j]のジョブを実行する。
具体的に説明すると、タブ紙Ｔ[1]のタブに原稿束Ｓ[2]に関する画像例えば分類名を画像形成した後に、原稿束Ｓ[2]の各原稿を第一のトレイ２３（図１参照）に収容されたＡ４用紙に画像形成する。画像形成されたタブ紙Ｔ[1]およびＡ４用紙は、排出トレイ２８（図１参照）に排出される。
【００４４】
その後、ジョブが実行された原稿束を印刷対象から除外する（ステップ１１１）。すなわち、ステップ１０５でジョブの原稿束の各々に付与された固有符号Ｐ[j]＝○の「○」を「×」に置き換える。具体的に説明すると、原稿束Ｓ[2]＝×に変更される。これにより、原稿束Ｓ[2]が印刷対象外に設定される。
【００４５】
そして、印刷対象の原稿束が残っているか否かを確認する（ステップ１１２）。すなわち、ジョブの全原稿束Ｐ[j]が×のときには、すべての印刷対象を印刷したものと判定することができる。また、ジョブの各原稿束P[j]のいずれかが○のときには、未だ印刷していない原稿束が存在することを把握できる。
ステップ１１２において印刷対象の原稿束が残っていないときには、すべての原稿束を印刷したものとして終了する。また、ステップ１１２において印刷対象の原稿束が残っていることを判定した場合には、ｉに１を加算した値をｉとした後に（ステップ１１３）、ステップ１０７に戻り、ｊが１に設定された後にステップ１０８に進む。
なお、図４の例によれば、原稿束Ｓ[1]，Ｓ[3]〜Ｓ[5]が印刷対象として残っているので、ステップ１０７に戻る。
【００４６】
ステップ１０８，１０９についてはタブ紙Ｔ[1]に関して既に説明したので、タブ紙Ｔ[1]の次に給紙されるタブ紙Ｔ[2]に関して簡単に説明する。
タブ紙Ｔ[2]のタブ番号Ｔaは３であり、これに対して原稿束Ｓ[1]のタブ番号Ｔbは１であるので、タブ番号同士が一致しないとしてステップ１１４，１１６に進む。ステップ１０８，１０９では、印刷対象になっている原稿束（原稿束Ｓ[2]は、上述したステップ１１１で印刷対象外となっている）の中の次の原稿束である原稿束Ｓ[3]との間でタブ番号Ｔaとタブ番号Ｔbとが一致するか否かを判断する。
原稿束Ｓ[3]のタブ番号Ｔbは３であるので、タブ紙Ｔ[2]のタブ番号Ｔaと一致する。そこで、ステップ１１０に進んで、タブ紙Ｔ[2]のタブに原稿束Ｓ[3]に関する分類名を画像形成した後に、原稿束Ｓ[3]の各原稿を第一のトレイ２３に収容されたＡ４用紙に画像形成する。
【００４７】
以上の処理手順を簡単に説明すると、次のようになる。すなわち、トレイ内の各タブ紙にタブ番号Ｔaを含む固有符号Ｔ[i]＝Ｔaを割り当てる（ステップ１０１，ステップ１０２）。ジョブの各原稿束にタブ位置番号Ｔbを含む固有符号Ｓ[j]＝Ｔbを割り当てる（ステップ１０３，ステップ１０４）。各原稿束を印刷対象に設定し（ステップ１０５）、変数ｉに１を代入する（ステップ１０６）。タブ紙Ｔ[1]のタブ番号Ｔaを原稿束Ｓ[1]，Ｓ[2]，…の各タブ番号Ｔbと順に比較する（ステップ１０７〜ステップ１０９，ステップ１１４，ステップ１１６）。最初に一致したタブ番号の原稿束Ｔ[i]の画像を形成した後に（ステップ１１０）、その原稿束Ｔ[i]を印刷対象から除外する（ステップ１１１）。一致する原稿束がなかったときにはそのタブ紙を排出する（ステップ１１５）。そして、原稿束が印刷対象として残っているときには（ステップ１１２）、上記処理内容を繰り返し（ステップ１１３）、残ってないときには終了する。
【００４８】
このように本実施の形態では、原稿束Ｓ[i]を基準とするのではなく、タブ紙Ｔ[i]を基準とし、排紙の順序を原稿の順序とは違えて排出する。具体的には、タブ紙のタブに基づいて画像形成および排出する順序を変える。このため、半端なタブ紙として無駄に排出されることを少なくすることができる。また、給紙トレイに収容されているタブ紙のタブの位置が原稿束のタブの位置と異なる場合であっても、ジョブを中止する必要がないので、作業の中断を回避することができる。
ここで、排出トレイ２８（図１参照）に排出される出力束の順序は、原稿束Ｓ[i]とは異なる場合がある。したがって、排出順の入れ替えが行われた場合はその旨、およびどのような順序で排出されたのかについて出力順序通知部４５（図２参照）にて操作者に通知する。
【００４９】
次に、上述したフローチャートに沿って実施した場合の具体例について図５〜図７−２を用いて説明する。
図５〜図７−２は、タブ紙とジョブの原稿束と出力束との順序関係を説明するための説明図である。なお、図５〜図７−２のいずれも、タブ紙が３タブであるが、図５および図６は、ジョブの原稿束の数Ｎが３の場合、図７−１および図７−２は原稿束の数Ｎが５の場合を図示している。なお、各図における（ａ）は、実行したいジョブ内容を示す図であり、（ｂ）は給紙トレイに入っているタブ紙の順番を示す図であり、（ｃ）は排出トレイ２８（図１参照）に実際に排出される順番を示す図である。
【００５０】
まず、原稿束の数Ｎが３の場合を示す図５および図６について説明する。図５は、給紙トレイ内に収容されている次に給紙されるタブ紙のタブ番号Ｔaが２である場合を例示し、図６は、タブ番号Ｔaが３である場合を例示している。なお、タブ番号Ｔａが１である場合には、従来の場合と同じ順序の出力束となるため、ここでは説明を省略する。
【００５１】
図５に示す場合には、同図の（ｂ）に示すように、タブ紙Ｔ[i]の各固有符号は、最初から順にＴ[1]＝２，Ｔ[2]＝３，Ｔ[3]＝１，Ｔ[4]＝２，Ｔ[5]＝３，Ｔ[6]＝１，…である。また、同図の（ａ）に示すように、原稿束Ｓ[j]の各固有符号は、最初から順にＳ[1]＝１，Ｓ[2]＝２，Ｓ[3]＝３である。この場合の出力束は、同図の（ｃ）に示すように、給紙トレイ内に収容されている順番、すなわち、原稿束Ｓ[2]＝２，Ｓ[3]＝３，Ｓ[1]＝１の順となり、半端なタブ紙の排出はない。
また、図６に示す場合には、同図の（ｂ）に示すように、タブ紙Ｔ[i]の各固有符号は、最初から順にＴ[1]＝３，Ｔ[2]＝１，Ｔ[3]＝２，Ｔ[4]＝３，Ｔ[5]＝１，Ｔ[6]＝２，…である。また、同図の（ａ）に示すように、原稿束Ｓ[j]の各固有符号は、最初から順にＳ[1]＝１，Ｓ[2]＝２，Ｓ[3]＝３である。この場合の出力束は、同図の（ｃ）に示すように、給紙トレイ内に収容されている順番、すなわちＳ[3]＝３，Ｓ[1]＝１，Ｓ[2]＝２となり、半端なタブ紙の排出はない。
ここで、従来のように、原稿束Ｓ[j]の順番で画像形成および排出を行うと、図５に示す場合には、２枚の半端なタブ紙が排出され、また、図６に示す場合には、１枚の半端なタブ紙が排出される。したがって、従来の場合と比較すると、図５および図６のいずれの場合も半端なタブ紙が排出されないので、タブ紙の無駄を防止することができる。
【００５２】
図７−１および図７−２では、ジョブの原稿束の数Ｎが５の場合で、かつ、給紙トレイ内に収容されている次に給紙されるタブ紙のタブ番号Ｔａが２である場合を例示している。
この例示では、図７−１の（ｂ）に示すように、タブ紙Ｔ[i]の各固有符号は、最初から順にＴ[1]＝２，Ｔ[2]＝３，Ｔ[3]＝１，Ｔ[4]＝２，Ｔ[5]＝３，Ｔ[6]＝１，…である。また、同図の（ａ）に示すように、原稿束Ｓ[j]の各固有符号は、最初から順にＳ[1]＝１，Ｓ[2]＝２，Ｓ[3]＝３，Ｓ[4]＝１，Ｓ[5]＝２である。
そして、図７−２の（ｃ）に示すように、原稿束Ｓ[2]＝２，Ｓ[3]＝３，Ｓ[1]＝１，Ｓ[5]＝２，Ｓ[4]＝１の順の出力束となる。また、タブ紙Ｔ[5]＝３が半端なタブ紙として画像形成されることなくそのまま排出される。しかし、従来のように、原稿束Ｓ[j]の順番で画像形成および排出を行うと、タブ紙Ｔ[1]＝２，Ｔ[2]＝３が半端なタブ紙となるので、従来の場合と比較すると、タブ紙の無駄防止を実現することができる。
【００５３】
なお、本実施の形態は、半端なタブ紙の排出を抑制するためにタブ紙の順序を優先して画像形成するという制御を行っているが、例えば、操作者に、原稿束の順序を優先して画像形成するかまたはタブ紙の順序を優先して画像形成するかの選択を行うことができるように構成することも考えられる。
【産業上の利用可能性】
【００５４】
本発明の活用例としては、現像剤で画像形成を行う現像装置や、プリンタまたは複写機等の画像形成装置への活用がある。また、複写機能、プリント機能、ファックス機能など複数の機能を持ち合わせた複合機への活用もある。
【図面の簡単な説明】
【００５５】
【図１】本実施の形態が適用される画像形成装置の全体構成を示した図である。
【図２】タブ紙への画像形成に関連する部分を説明するためのブロック図である。
【図３】ジョブの処理手順を示すフローチャートである。
【図４】タブ紙とジョブの原稿束との関係を説明するための説明図である。
【図５】タブ紙とジョブの原稿束と出力束との順序関係を説明するための説明図である。
【図６】タブ紙とジョブの原稿束と出力束との順序関係を説明するための説明図である。
【図７−１】タブ紙とジョブの原稿束と出力束との順序関係を説明するための説明図である。
【図７−２】タブ紙とジョブの原稿束と出力束との順序関係を説明するための説明図である。
【符号の説明】
【００５６】
５…制御部、４１…原稿入力インターフェース、４２…トレイ用紙検出部、４３…出力用ハードウェア、４４…半端タブ紙排出部、４５…出力順序通知部、４６…記憶部
【図１】
2006084856.tif 000003
【図２】
2006084856.tif 000004
【図３】
2006084856.tif 000005
【図４】
2006084856.tif 000006
【図５】
2006084856.tif 000007
【図６】
2006084856.tif 000008
【図７−１】
2006084856.tif 000009
【図７−２】
2006084856.tif 000010